(57)【要約】      （修正有）【課題】ユニットハウスやプレハブハウスのような簡易的な住宅に対して、耐久性、耐天候性、経済性を向上させる構造体を提供する。【解決手段】住宅の上方を覆うための屋根２と、屋根を支える柱３と、屋根と柱との間で住宅周囲を覆うように配置した囲い材４とを有し、当該囲い材は、開閉可能に設けてあり、かつ、開状態および閉状態のいずれの状態でもロック可能としてあり、加えて、開状態、閉状態、および開状態と閉状態の間において開口幅を変化させた状態でもロック可能としたことを特徴とする住宅用構造体１とした。【選択図】図１
2019132120.tif 000002
【特許請求の範囲】
【請求項１】
住宅の上方を覆うための屋根と、屋根を支える柱と、屋根と柱との間で住宅周囲を覆うように配置した囲い材とを有し、当該囲い材は、開閉可能に設けてあり、かつ、開状態および閉状態のいずれの状態でもロック可能としてあることを特徴とする住宅用構造体。
【請求項２】
当該囲い材は、開状態、閉状態、および開状態と閉状態の間において開口幅を変化させた状態でもロック可能としてあることを特徴とする住宅用構造体。
【発明の詳細な説明】
【技術分野】
【０００１】  本発明は、簡易的な住宅を保護するための構造体に関する。
【背景技術】
【０００２】  ユニットハウスやプレハブハウスは、運搬と施工が簡単であるが、構造が簡単であることや、運搬や吊り下げ等を行う都合から貧弱な屋根しか備えておらず、耐久性や、夏の暑さや、冬の寒さに対する耐天候性を備えているとはいえなかった。実登第３１０６８４９号公報には屋上を設けたユニットハウスが開示されているが、強度を高める必要があり経済性が損なわれるものであった。
また、近年、人口減少に伴い、市街地に狭小の空き地が増加しているが、有効に活用されない状態となっている。【０００３】
【特許文献１】実登第３１０６８４９号公報
【発明の概要】
【発明が解決しようとする課題】
【０００４】  本発明は上記技術的課題に鑑みて、ユニットハウスやプレハブハウスのような簡易的な住宅に対して、耐久性、耐天候性、経済性を向上させる構造体を提供することを目的とする。
【課題を解決するための手段】
【０００５】  本発明の技術的要旨は、住宅の上方を覆うための屋根と、屋根を支える柱と、屋根と柱との間で住宅周囲を覆うように配置した囲い材とを有し、当該囲い材は、開閉可能に設けてあり、かつ、開状態および閉状態のいずれの状態でもロック可能とした住宅用構造体とした点である。【０００６】  また、当該囲い材を、開状態、閉状態、および開状態と閉状態の間において開口幅を変化させた状態でもロック可能とした点である。【０００７】  ここでロック可能にするとは、囲い材の位置固定可能にするという意味であり、屋根や柱や囲い材の受け部との間に、フックと受け部によるロック構造や、ピンとピン受けによるロック構造といった係合手段や、所定位置に取り付けるストッパーといった着脱式の固定手段や、押圧による摩擦固定手段等を設ける操作式の固定手段を設ける方法等が考えられるが、囲い材が風や振動、第三者のいたずらなどの意図しない形で動くのを防止できればよく、ロック構造及び囲い材をロックするための相手部分は限定されない。
【発明の効果】
【０００８】  本発明に係る住宅用構造体においては、例えば既存のユニットハウスやプレハブハウスのような簡易的な住宅部分を覆うように別屋根を設けることで、雨水による腐食や汚れを防ぎ、住宅用構造体を耐雪荷重を有するものとすることで、簡易的な住宅にあっても耐雪性を備えることができる。
また、簡易的な住宅の上に住宅用構造体の屋根を設けた日よけ作用により、住宅部分に直射日光が当たるのを防ぐことができ、囲い材を開いた状態でロックしておくことで、直射日光による高温を防ぎつつ風通しを安定して確保でき、冷房費用を削減することや、熱中症の危険性を低減出来る。
また、囲い材を閉じた状態でロックすることで、住宅部分を覆い包むように囲むこととなり、耐寒性を向上させて、暖房費を削減することが出来る。
そして、囲い材を開閉幅を調整してロックすることで、気候や天候変化に合わせた通風量や保温性等を変えた住宅を簡単に得られる。
【図面の簡単な説明】
【０００９】
【図１】本発明の実施例を示す。
【図２】囲い材を柱側に寄せた状態を示す。
【図３】住宅用構造体を住宅に設置した状態を示す。
【図４】住宅用構造体を住宅に設置し囲い材を開いてロックした状態を示す。
【図５】囲い材を所定位置でロックする構造例を示す。
【図６】（ａ）は分解説明図を示し、（ｂ）は受け部の説明図を示す。
【発明を実施するための形態】
【００１０】  本発明に係る住宅の住宅用構造体を図１に示す。
図１（ａ）は側面図、（ｂ）は正面図、（ｃ）は背面図を示し、（ｄ）は入口ドアの機能を有する囲い材４ａを開けた状態を示す。
住宅１０は、簡易的な住宅である。
ここで、簡易的な住宅とは、別の場所で概ね住宅や事務所としての機能を有するように作った箱体よりなるユニットハウスや、あるいは簡単に施工場所で住宅や事務所を組み立てられるようにパーツを分解したものや、折り畳み状態としたもの等を、トラックで施工現場まで運び、施工現場において非常に短時間に据え付け工事を完了できるプレハブハウス等を意味する。
図６（ａ）は、住宅用構造体１を一部分解して側面から見た説明図である。
住宅用構造体１は、住宅の上部を覆う形でいわゆるカーポートに用いられるような屋根２の周縁部を４本の柱３で支えた構造に加えて、柱３の下端の間を連結する受け部５を設け、屋根２と受け部との間に囲い材４を柱の間に引き戸状に設けたものである。
これにより、囲い材４を閉じた状態では、住宅用構造体１の内側を覆うように囲み、住宅を囲んで閉じた空間を形成する。
囲い材４は、複数枚を並列配置した引き戸状の移動可能に設けてある。
図６（ｂ）は、囲い材４の受け部５を上方から見た拡大説明図であり、囲い材４を移動させるための溝５ａを囲い材毎に並列して設け、それぞれに囲い材４を所定位置でロックするための、ピン受け６ｂが複数設けてある。
屋根２の側にも、同様に囲い材を移動させるためのレールや溝といったガイドを並列してそれぞれ設けてある。
この囲い材４を引き戸状に設ける構造は、正面、背面、側面で共通のものとしてある。
この囲い材を屋根と受け部との間に設ける構造は、このように屋根側に鴨居状のガイドを設けて、地面側に敷居状の受け部を設ける方法に限定されず、地面側の受け部は予め地面に埋め込むように設けたり、受け部を設けずに囲い材側に設けた車輪で地面側を移動可能としてもよく、柱間で囲い材を移動可能とし、全開位置と、全閉位置に加え、全開と全閉の中間の所定位置にてロックできればよい。
囲い材４の中には人が出入りするための入口の機能を有する囲い材４ａを設けてもよいが、住宅用構造体１に入り口用途のドアを設けてもよく、また、住宅用構造体１の全周を囲まずに常時開口した入口部分を設けたり、一面を閉じて窓等を設けてよい。
図５は囲い材を所定位置でロックする構造例を示す。
囲い材４にはそれぞれ図５（ａ）に示すような、落とし込みピン６ａを設けて、受け部５にはピン受け６ｂが設けてあり、囲い材４を閉じた状態位置において、図５（ｂ）のように落とし込みピン６ａをピン受け６ｂに落とし込み、囲い材４を受け部５にロックする。
囲い材４を移動する場合には図５（ａ）のように落とし込みピン６ａをピン受け６ｂから抜いた状態とする。
図６（ｂ）に示すように、ピン受け６ｂは受け部５に複数設けてあり、複数の囲い材４で周囲を覆って閉じた状態でロックする他に、囲い材４を所定分だけ開いた位置のピン受け６ｂ位置でもロックすることが出来る。
図２は、住宅用構造体１の囲い材４を一方の柱側に寄せることで、囲い材４を開いてロックした状態を示し、（ａ）は側面図、（ｂ）は正面図、（ｃ）は背面図を示す。
囲い材４は一方の柱側に重ねて寄せてあり、ドア機能を有する囲い材４ａの裏側にも囲い材４が重ねた状態でロックしてある。
囲い材４を移動させる溝は囲い材枚数に相当する数を並列して設けてあることで、例えば、一枚を開いただけの状態でロックしたり、各囲い材４を少しずつ開いた状態や、任意の場所だけを開いた状態でロックすることが出来る。
【００１１】  図３は、住宅用構造体１を住宅１０を覆うように設置した状態を示し、（ａ）は側面図、（ｂ）は正面図、（ｃ）は背面図を示し、（ｄ）は入口ドアの機能を有する囲い材４ａを開けた状態を示す。
住宅用構造体１の屋根２は耐雪性を有するものとすることで、住宅１０が耐雪性を有しない場合でも、住宅として耐雪性を備えることが出来る。
また屋根２が住宅１０に直射日光があたることを防ぐため、特に夏季において住宅１０の著しい温度上昇を防ぐことが出来、冷房効率を高めることが出来る。
また、住宅１０が直接雨水に晒されて、腐食したり、汚れたりすることを防止できるため、住宅１０の美観を保ったまま、耐久性を向上させることが出来る。
図４は、囲い材４を開くように移動してロックした状態を示し、（ａ）、（ｂ）、（ｃ）は一方の柱３側に寄せた状態のそれぞれ側面図、正面図、背面図を示し、図４（ｄ）は囲い材を格子状に開いてロックした状態の側面図を示す。
【００１２】  囲い材は、柱側に戸袋を設けて、不要時に収納する構造も考えられる他、一般的な引き戸より細身として細かく開口を調整できるようにしたり、窓等を設けたり、あるいはシャッター構造を用いたり、着脱式としてもよく、板状部材にて、屋根と柱の間で開口量を調整できればよい。
住宅用構造体１は屋根の一部を囲い材の外側へ延ばしてカーポート等と兼用した構造としてもよく、また、電線等の取り込み口や、住宅のエアコンの室外機を取り付ける台座や、住宅に設けた換気口と接続する換気口や、ヒーターの排気口等を予め設けておいてもよい。
【符号の説明】
【００１３】１  住宅用構造体
２  屋根
３  柱
４  囲い材
５  受け部
６（ａ）  落とし込みピン
６（ｂ）  ピン受け
１０    住宅
【図１】
2019132120.tif 000003
【図２】
2019132120.tif 000004
【図３】
2019132120.tif 000005
【図４】
2019132120.tif 000006
【図５】
2019132120.tif 000007
【図６】
2019132120.tif 000008